【事件の表示】
　特願２００３−１９０５５１「吸収性物品」拒絶査定不服審判事件〔平成１７年　１月２７日出願公開、特開２００５−　２１３８９〕について、次のとおり審決する。
【結　論】
　本件審判の請求は、成り立たない。
【理　由】
第１　手続の経緯　
　本願は、平成１５年７月２日の出願であって、平成１９年１０月２５日付けでなされた拒絶査定に対し、これを不服として平成１９年１１月２７日付けで拒絶査定不服審判が請求されるとともに、平成１９年１２月２７日付けで明細書を対象とする手続補正書が提出されたものである。　
　
第２　平成１９年１２月２７日付けの手続補正についての補正却下の決定　
【補正却下の決定の結論】　
　平成１９年１２月２７日付け手続補正（以下、「本件補正」という。）を却下する。　
　
【理由】　
　本件補正は、平成１９年９月２０日付けでした手続補正により補正された明細書を、更に補正するものであり、補正前の特許請求の範囲の請求項１に、　
「吸収性コアと、該吸収性コアの着用者肌対向面側と反対側に液不透過性の裏面シートとを備え、股下部並びに該股下部から前後に延びる腹側部及び背側部をそれぞれ有する吸収性物品であって、　
　前記吸収性物品は、水分と接触しても視覚的に変化しない直線状の不変模様を該吸収性物品の幅方向に沿って複数有しているとともに、前記吸収性コアと前記裏面シートとの間の所定部位に水分と接触すると視覚的に変化する親水性の剤を含む直線状の可変模様を複数有しており、　
　前記吸収性物品の前記股下部においては、前記可変模様に前記不変模様が全て交差して配されて格子模様が形成されている吸収性物品。」　
とあるのを、　
「被覆材で被覆された吸収性コアと、該吸収性コアの着用者肌対向面側と反対側に液不透過性の裏面シートとを備え、股下部並びに該股下部から前後に延びる腹側部及び背側部をそれぞれ有する吸収性物品であって、　
　前記吸収性物品は、水分と接触しても視覚的に変化しない直線状の不変模様を該吸収性物品の幅方向に沿って複数有しているとともに、前記吸収性コアと前記裏面シートとの間の所定部位に水分と接触すると視覚的に変化する親水性の剤を含む直線状の可変模様を複数有しており、　
　前記吸収性物品の前記股下部においては、前記可変模様に前記不変模様が全て交差して配されて格子模様が形成されており、　
　前記可変模様が視覚的に変化する前における前記裏面シートの外面側から測定した明度Ｌ*が１５〜１８、該可変模様が視覚的に変化した後の前記明度Ｌ*が２０〜８０であり、　
　前記不変模様の前記裏面シートの外面側から測定した明度Ｌ*は３０〜９０であり、　
　前記被覆材は、白色度がＬ*ａ*ｂ*表色系（ＣＩＥ１９７６９）の色座標指数のｂ*値で３〜マイナス値である吸収性物品。」　
とする補正を含んでいる。　
　そして、この補正は、以下の補正事項を含むものである。　
　
＜補正事項１＞　
　「可変模様」の色について、「前記可変模様が視覚的に変化する前における前記裏面シートの外面側から測定した明度Ｌ*が１５〜１８、該可変模様が視覚的に変化した後の前記明度Ｌ*が２０〜８０であり」とする補正。　
　
＜補正事項２＞　
　「被覆材」なる構成を新たに追加し、「被覆材で被覆された吸収性コア」との記載により、「被覆材」が吸収性コアを被覆することを特定する補正。
　
＜補正事項３＞　
　新たに追加した「被覆材」の色について、「前記被覆材は、白色度がＬ*ａ*ｂ*表色系（ＣＩＥ１９７６９）の色座標指数のｂ*値で３〜マイナス値である」とする補正。　
　
（１）補正事項１について　
　補正事項１は、「可変模様」の色を、「前記可変模様が視覚的に変化する前における前記裏面シートの外面側から測定した明度Ｌ*が１５〜１８」とする補正を含んでいる。　
　ここで、本願の当初明細書には、当該可変模様の色に関して、以下の記載がある。　
「【００３４】　
　本実施形態のように、可変模様１１の視覚的な変化が変化剤の変色によるものである場合には、可変模様１１が視覚的に変化する前における、裏面シート３のおむつ外面側から測定した明度Ｌ*は、１５〜８０、特に２０〜７０であることが好ましく、視覚的に変化した後の明度Ｌ＊が２０〜８０、特に３０〜８０であることが好ましい。また、裏面シート３のおむつ外面側から測定した不変模様１２の明度Ｌ＊は、３０〜９０、特に３５〜９０、とりわけ４０〜９０であることが、裏面シート３又は外装カバーシート７越しにみた不変模様１２が鮮明となることから好ましい。」　
　以上の記載からも明らかなように、「前記可変模様が視覚的に変化する前における前記裏面シートの外面側から測定した明度Ｌ*」を「１５〜１８」とすることは、本願の当初明細書には何ら記載されていない。　
　したがって、上記補正事項１は、新規事項を追加するものである。　
　
（２）補正事項２について　
　「被覆材」なる構成は、新たに付加されたものであって、補正前の請求項１に記載した発明を特定するために必要な事項を限定したものではない。（なお、補正前の請求項４は、「被覆材」を有するものであるが、当該請求項４の接着剤として機能する成分などの構成が、補正後の請求項１に反映されていないので、補正前の請求項４が補正後の請求項１に対応するものであるとはいえない。）　
　ここで、「被覆材」に関して、本件補正後の明細書には、次の記載がある。　
「【００１２】　
　吸収体４は、吸収性コア４１の周囲が、親水性のティッシュペーパー等の薄手の紙（薄葉紙）からなる被覆材４２によって覆われて構成されている。被覆材４２は、吸収性コア４１の表面シート２側の面を覆う第１の被覆材４２ａと、吸収性コア４１の裏面シート３側の面を覆い且つ表面シート２側の側縁まで巻き上げられている第２の被覆材４２ｂとからなっている。被覆材４２は、吸収性コア４１の保形性を維持する目的で用いられている。吸収体４は、表面シート２及び裏面シート３によって挟持・固定されている。」　
　上記記載からも明らかなように、「被覆材」は、吸収性コアの保形性を維持するために設けられた付加的な構成であり、吸収性コアの保形性を改善するという新たな課題を解決するために設けられた手段というべきであるから、この補正は、解決しようとする課題を変更するものである。　
　
（３）補正事項３について　
　「被覆材」の白色度を、「Ｌ*ａ*ｂ*表色系（ＣＩＥ１９７６９）の色座標指数のｂ*値で３〜マイナス値」と特定することに関して、本件補正後の明細書には、次の記載がある。　
「【００３８】　
　可変模様１０の視覚的変化がおむつの外部からはっきりと認識できるようにするために、被覆材４２ａ，４２ｂは透明度が低く且つ白色度の高いものであることが好ましい。透明度は２０％以下であることが好ましい。白色度は、Ｌ*ａ*ｂ*表色系（ＣＩＥ１９７６）の色座標指数のｂ*値を３〜マイナス値、好ましくは１〜−５、特に０〜−５とすることが好ましい。このような透明度及び白色度を有する被覆材４２は、例えば、漂白処理したパルプを使用したり、被覆材にフィラーを含有させること等によって得られる。なお、吸収性コア４１としても白色度が高いものが好ましい。」　
　以上の記載から明らかなように、被覆材の白色度を、「Ｌ*ａ*ｂ*表色系（ＣＩＥ１９７６９）の色座標指数のｂ*値で３〜マイナス値」としているのは、可変模様の認識性が被覆材の色により影響を受けるということに着目し、被覆材の色を特定することにより、当該課題を解決しているものである。　
　したがって、補正事項４は、解決しようとする課題を変更するものである。　
　
　以上のとおりであるから、本件補正は、平成１８年法律第５５号改正附則第３条第１項によりなお従前の例によるとされる同法による改正前の特許法第１７条の２第３項及び第４項の規定に違反するので、同法第１５９条第１項において読み替えて準用する同法第５３条第１項の規定により却下すべきものである。　
　
　なお、請求人は、平成２１年２月１９日付けの回答書、また、平成２１年７月１４日付けの上申書において、上記補正事項１で、「前記可変模様が視覚的に変化する前における前記裏面シートの外面側から測定した明度Ｌ*が１５〜１８」としたのは、「前記可変模様が視覚的に変化する前における前記裏面シートの外面側から測定した明度Ｌ*が１５〜８０」の誤記である旨主張しているが、下記の観点からも、補正事項１が誤記であることは明らかではない。　
　当初明細書の段落【００３４】の記載によると、可変模様が視覚的に変化する前の明度、可変模様が視覚的に変化した後の明度、及び、不変模様の明度の、それぞれが同一の明度であってもよいものであるが、このように同一の明度とすることの技術的意義が必ずしも明確でないところ、補正事項１により、可変模様が視覚的に変化する前の明度を、可変模様が視覚的に変化した後の明度及び不変模様の明度と常に異なるものとし、技術的意義を明確にしようとしたものとも理解される。　
　また、仮に、上記補正事項１が誤記であるとしても、上記（２）、（３）で示したとおり、「被覆材」に関する補正は、特許請求の範囲の限定的減縮を目的としたものではないので、本件補正は、補正事項１によらなくとも、却下されるべきものである。　
　
第３　本願発明　
　平成２１年１２月２７日付けの手続補正書は上記のとおり却下されたので、本願の請求項１に係る発明は、平成１９年９月２０日付けで補正された明細書の特許請求の範囲の請求項１に記載された事項により特定されるとおりのものであるところ、請求項１に係る発明（以下、「本願発明」という。）は、次のとおりのものである。　
「吸収性コアと、該吸収性コアの着用者肌対向面側と反対側に液不透過性の裏面シートとを備え、股下部並びに該股下部から前後に延びる腹側部及び背側部をそれぞれ有する吸収性物品であって、　
　前記吸収性物品は、水分と接触しても視覚的に変化しない直線状の不変模様を該吸収性物品の幅方向に沿って複数有しているとともに、前記吸収性コアと前記裏面シートとの間の所定部位に水分と接触すると視覚的に変化する親水性の剤を含む直線状の可変模様を複数有しており、　
　前記吸収性物品の前記股下部においては、前記可変模様に前記不変模様が全て交差して配されて格子模様が形成されている吸収性物品。」　
　
第４　引用文献　　
　原査定の拒絶の理由に引用された、本願出願前に頒布された刊行物である実願昭５７−１１８２８９号（実開昭５９−２４７０４号）のマイクロフィルム（以下、「引用文献」という。）には、以下の事項が図面とともに記載されている。　
　
（ａ）「外側から尿をしたことを検知できれば好都合であり、そのための工夫も種々為されている。その工夫としては、水あるいは尿で呈色するもの、ｐＨ指示薬を用いたもの、水性塗料が水で溶けることを利用したもの等が知られている。」（第２ページ第３行乃至第７行）　
　
（ｂ）「第１図は水及び／又は尿で変色、発色あるいは消色する部分１（以下呈色部と表わす）と水及び尿で変化しない着色した部分２（以下着色部と表わす）が両方とも透明又は半透明のプラスチツクシート３の片面に設けられたものを示し、第２図は呈色部１と着色部２がプラスチツクシート３のそれぞれの面に設けられたものを示す。呈色部２は全てプラスチツクシート３の片面に設けられている必要があるが、着色部は必ずしもプラスチツクシート３の片面にある必要はなく、プラスチツクシート３の中に含まれていても両面にあつてもよい。」（第３ページ第６行乃至第１７行）　
　
（ｃ）「また模様としては例えば星型の輪郭部を着色部２にしておき、その内部に呈色部１を設けたり（第２図）、あるいはかたつむりの殻の部分に呈色部１と着色部２をぬりわけておく（第３図）等種々のものがあり、呈色部１と着色部２を種々に組合せて花、動物あるいは童話に関係した図柄にすることができる。」（第３ページ第１８行乃至第４ページ第４行）　
　
（ｄ）「尿による呈色部には従来公知のものは何でも利用できる・・・」（第４ページ第１７行乃至第１８行）　
　
（ｅ）「本考案の使い捨ておむつ用バツクシートに用いるプラスチツクシートはポリエチレン、ポリプロピレン、ポリ塩化ビニル、ポリエステル、ナイロン等種々のプラスチツクのフイルムが利用できる。」（第５ページ第１行乃至第４行）　
　
（ｆ）「本考案の使い捨ておむつ用バツクシートは呈色部が尿吸収部材側にくるようにして用いる。」（第５ページ第５行乃至第６行）　
　
（ｇ）「模様は一部に設けられるのではなく、使い捨ておむつ用バツクシートの全面に設けられていてもよい。」（第５ページ第９行乃至第１１行）　
　
　ここで、引用文献１の「バツクシート」は、上記（ｅ）にあるように、ポリエチレン等のプラスチツクのフイルムからなるものであるとともに、バツクシートを液不透過性とすることはバツクシートとして当然に備えていなければならない性質であるから、引用文献１の「バツクシート」が、液不透過性であることは明白である。さらに、バツクシートが、尿吸収部材の着用者肌対向面側と反対側に設けるべきものであることは技術常識であり、引用文献１のものも、そのような構成であることもまた明白である。　
　また、引用文献１には、使い捨ておむつが、「股下部並びに該股下部から前後に延びる腹側部及び背側部をそれぞれ有する」ものであることは明記されていないが、このような構成は、使い捨ておむつであれば当然に有している構成であるから、引用文献１の使い捨ておむつが、「股下部並びに該股下部から前後に延びる腹側部及び背側部をそれぞれ有する」ものであることもまた自明である。　
　さらに、引用文献１の呈色部は、上記（ａ）に、従来技術として、尿を検知するために、水に溶ける水溶性塗料を用いることが記載されており、また、上記（ｄ）に、呈色部に、従来公知のものを用いることができることが記載されているから、引用文献１の呈色部も親水性のものである。　
　
　以上の記載を総合すると、引用文献には、次の発明（以下、「引用発明」という。）が開示されているものと認められる。　
　
＜引用発明＞　
「尿吸収部材と、該尿吸収部材の着用者肌対向面側と反対側に液不透過性のバツクシートとを備え、股下部並びに該股下部から前後に延びる腹側部及び背側部をそれぞれ有する使い捨ておむつであって、　
　前記使い捨ておむつは、水分と接触しても視覚的に変化しない着色部を有しているとともに、前記尿吸収部材と前記バツクシートとの間の所定部位に水分と接触すると視覚的に変化する親水性の剤を含む呈色部を有しており、
　模様が、着色部と呈色部によりぬりわけられている使い捨ておむつ。」　
　
第５　対比　
　本願発明と引用発明とを対比する。　
　引用発明の「尿吸収部材」、「バツクシート」、「使い捨ておむつ」、「着色部」、「呈色部」が、ぞれぞれ、本願発明の「吸収性コア」、「裏面シート」、「吸収性物品」、「不変模様」、「可変模様」に相当する。　
　すると、本願発明と引用発明との一致点及び相違点は次のとおりである。
【一致点】　
「吸収性コアと、該吸収性コアの着用者肌対向面側と反対側に液不透過性の裏面シートとを備え、股下部並びに該股下部から前後に延びる腹側部及び背側部をそれぞれ有する吸収性物品であって、　
　前記吸収性物品は、水分と接触しても視覚的に変化しない不変模様を有しているとともに、前記吸収性コアと前記裏面シートとの間の所定部位に水分と接触すると視覚的に変化する親水性の剤を含む可変模様を有している吸収性物品」　
【相違点】　
　本願発明では、「不変模様」が、「直線状の不変模様を該吸収性物品の幅方向に沿って複数有している」構成であり、また、「可変模様」が、「直線状の可変模様を複数有して」いる構成であり、そして、これらの「不変模様」及び「可変模様」が、「前記吸収性物品の前記股下部においては、前記可変模様に前記不変模様が全て交差して配されて格子模様が形成されている」のに対し、引用発明では、「模様が、着色部と呈色部によりぬりわけられている」構成である点。　
　
第６　検討　
　本願発明と引用発明は、いずれも、模様を、不変模様と可変模様で構成する点で共通しているものの、その具体的模様や不変模様や可変模様の配置は相違している。　
　しかしながら、吸収性物品に付与する模様として、どのような模様を採用するかは、視認性やデザイン性などを考慮して適宜選定すべきものであるとともに、模様として、格子模様は、通常に知られた模様であり（例えば、特開２００２−３３０９９５号公報（段落【００１８】、特開平１−２８７００号公報（段落【００１３】）、特開平７−３２８０６０号公報（段落【００１０】）等を参照。）、このような模様を採用することに格別の困難性はない。　
　さらに、吸収性物品に付与する模様として格子模様を採用した場合に、当該格子模様を、不変模様と可変模様とで、どのように塗り分けるかも、模様の特定と同様に、視認性やデザイン性を考慮して適宜なし得ることである。また、その格子模様を吸収性物品の好適な位置を選択して配置することも、当業者であれば当然になし得ることである。　
　してみれば、引用発明の模様として、格子模様を採用するとともに、着色部を、「直線状の着色部を使い捨ておむつの幅方向に沿って複数有している」構成とし、また、呈色部を、「直線状の呈色部を複数有して」いる構成とし、さらに、これらの着色部及び呈色部を、「使い捨ておむつの股下部においては、呈色部に着色部が全て交差して配されて格子模様が形成されている」構成とすることは、当業者であれば容易になし得たことである。　
　また、模様として、格子模様を採用すること、また、当該格子模様を、不変模様と可変模様によって、本願発明の上記相違点のように塗り分けることにより、格別顕著な効果を奏するものでもない。　
　
第７　むすび　
　以上のとおり、本願発明は、引用発明及び周知技術に基づいて、当業者が容易に発明をすることができたものであり、特許法第２９条第２項の規定により特許を受けることができないものであるから、他の請求項に係る発明について検討するまでもなく、本願は拒絶すべきものである。　
　よって、結論のとおり審決する。